(57)【要約】【課題】切込みを開いて基礎型枠の非直線部を適正にカバーすることができ、しかも、このような切込みを採用する上で付随的に生じうる弱点を解消することでコンクリートの養生を万全なかたちで行うことができる基礎コンクリート養生シートを提供する。【解決手段】基礎型枠２のＬ字状部２ｃ、Ｔ字状部２ｂ及び十字状部２ａ等の非直線部をカバーするための切込み４が設けられ、該切込み部分４にシートの重なり部分７が形成されている。【選択図】      図１
2004300850.tif 000002
【特許請求の範囲】
【請求項１】
コンクリートの打ち込まれた基礎型枠をカバーする基礎コンクリート養生シートであって、前記基礎型枠のＬ字状部、Ｔ字状部及び十字状部等の非直線部をカバーするための切込みが設けられ、該切込み部分にシートの重なり部分が形成されていることを特徴とする基礎コンクリート養生シート。
【請求項２】
前記重なり部分において、重ね合わされる面部同士を脱着可能に連結し、切込み部分が開かないように保持する連結手段が備えられている請求項１に記載の基礎コンクリート養生シート。
【請求項３】
基礎型枠の十字状部の全体を一つでカバーすることのできる役物であって、Ｌ字状部、Ｔ字状部等の十字状部以外の一種又は二種以上の非直線部の全体をカバーするのに兼用できる構造を備えている請求項１又は２に記載の基礎コンクリート養生シート。
【請求項４】
基礎型枠の直線部をカバーする直線部用のものであり、端部に前記切込みが設けられ、該端部で基礎型枠の非直線部の一部又は全部をカバーすることができるようになされている請求項１又は２に記載の基礎コンクリート養生シート。
【発明の詳細な説明】
【０００１】
【発明の属する技術分野】
本発明は、基礎コンクリート養生シートに関する。
【０００２】
【従来の技術】
【特許文献１】特開平１１−８１６７５号公報
コンクリートの打ち込まれた基礎型枠のＬ字部、Ｔ字部では、直線部の基礎コンクリート養生シートでカバーするだけでは、シートが浮いてしまい、基礎型枠の側面部をうまくカバーできないことから、特開平１１−８１６７５号公報には、直線部をカバーする養生シートとは別に、Ｌ字部やＴ字部をカバーする役物養生シートを用い、直線部用養生シートと役物養生シートとを組み合わせて用いることで、基礎型枠をうまくカバーできるようにしたものが開示されており、役物養生シートには基礎型枠のＬ字状部、Ｔ字状部をカバーするための切込みが入れられている。
【０００３】
【発明が解決しようとする課題】
ところで、本発明者らは、より使いやすい養生シートを開発すべく、仔細な観察と試験を繰り返していくうち、次のような問題点のあることを突き止めた。即ち、上記のような役物養生シートが、Ｌ字状部専用品やＴ字状部専用品である場合には問題となることは少ないが、役物養生シートが、Ｌ字部やＴ字部、十字状部等の各種非直線部のうちの二種以上に兼用で使用できるようにしようとする場合には特に、いくつかの切込みが開かれないままに基礎型枠の非直線部をカバーしてしまうことがあり、その場合に、切込み部分は、切込みを挟む一方の辺ともう一方の辺とが突き合わされているだけであるため、外気がそれら辺間に生じる隙間を通じて内部に入り込みやすく、コンクリートの養生に悪影響を及ぼすおそれがあるのであった。
【０００４】
本発明は、上記のような問題点の発見に基づいてなされたものであり、切込みを開いて基礎型枠の非直線部を適正にカバーすることができ、しかも、このような切込みを採用する上で付随的に生じうる弱点を解消することでコンクリートの養生を万全なかたちで行うことができる基礎コンクリート養生シートを提供することを課題とする。
【０００５】
【課題を解決するための手段】
上記の課題は、コンクリートの打ち込まれた基礎型枠をカバーする基礎コンクリート養生シートであって、前記基礎型枠のＬ字状部、Ｔ字状部及び十字状部等の非直線部をカバーするための切込みが設けられ、該切込み部分にシートの重なり部分が形成されていることを特徴とする基礎コンクリート養生シートによって解決される。
【０００６】
この養生シートでは、切込みを開くことによって、Ｌ字状部、Ｔ字状部、十字状部等の基礎型枠の非直線部を適正にカバーすることができる。のみならず、基礎型枠の非直線部をカバーしたり、あるいは、直線部をカバーする上で、カバーのために開かれない切込み部分を生じても、その切込み部分にはシート片の重なり部分が形成されているので、外気が切込み部分を通じて内部に入り込まず、そのため、コンクリートの養生を万全なかたちで行っていくことができる。
【０００７】
前記重なり部分において、重ね合わされる面部同士を脱着可能に連結し、切込み部分が開かないように保持する連結手段が備えられているとよい。この場合は連結手段よる保持を解除して切込みを開くことによって基礎型枠の非直線部を適正にカバーすることができ、しかも、基礎型枠をカバーする上で開かなくてよい切込みについては、重なり部分の面同士を連結手段によって開かないように保持することで開くのを確実に防いでコンクリートの養生をより万全なかたちで行っていくことができる。
【０００８】
また、基礎型枠の十字状部の全体を一つでカバーすることのできる役物であって、Ｌ字状部、Ｔ字状部等の十字状部以外の一種又は二種以上の非直線部の全体をカバーするのに兼用できる構造を備えている場合は、基礎型枠の十字状部を一つの養生シートでカバーすることができて、十字状部のカバーでありながら使用する養生シートの数を少なくすることができ、しかも、十字状部以外の一種又は二種以上の非直線部をカバーする上で使用されない切込みについては、そこに備えられている重なり部分の作用で切込みに隙間が生じず、コンクリートの養生を万全なかたちで行うことができる。
【０００９】
また、養生シートが、基礎型枠の直線部をカバーする直線部用のものであり、端部に前記切込みが設けられ、該端部で基礎型枠の非直線部の一部又は全部をカバーすることができるようになされているのもよい。この養生シートでは、そもそも直線部用であるので基礎型枠の直線部をカバーすることができ、また、この直線部用養生シートの端部に切込みが設けられているので、この端部部分で基礎型枠の非直線部を適正にカバーすることができる。従ってまた、このように基礎型枠の直線部をカバーする養生シートで非直線部もカバーするので、非直線部用の役物シートを排除することができて、養生に用いるシートの種類を少なくすることができ、現場での作業効率を向上することができると共に、シートの管理も容易に行うことができるようになる。そして、基礎型枠をカバーする上で使用されない切込みについては、そこに備えられている重なり部分の作用で切込みに隙間が生じず、コンクリートの養生を万全なかたちで行うことができる。
【００１０】
【発明の実施の形態】
次に、本発明の実施形態を図面に基づいて説明する。
【００１１】
図１〜図３に示す第１実施形態の養生シート１は、図２に示すように、基礎型枠２の十字状部２ａの全体を一つでカバーすることのできる役物養生シートからなっている。
【００１２】
この養生シート１は、図１（イ）に示すように、屈曲可能な柔軟な矩形のシート材からなっており、基礎型枠２の十字状部２ａの天面側と側面側、更にはベース面側を、それらに沿うように適正にカバーし、かつ、基礎型枠の直線部の養生シートの端部を重ね合わせることができるようにするための切込み４…が設けられている。
【００１３】
また、各切込み４…には、図１（ロ）に示すように、切込み４を挟む一方の辺４ａにシート片５が連設され、該シート片５がもう一方の辺４ｂの片面側に突出してシートの重なり部分７が形成されている。更に、重なり部分７において、重ね合わされる両面部には切込み４を開き可能に閉じる、連結手段としての面ファスナー６，６が設けられている。
【００１４】
そして、上記の養生シート１を用い、各切込み４…を開いて、図１（ハ）に示すような形態にすることで、図２（イ）（ロ）に示すように、基礎型枠２の十字状部２ａを適正にカバーすることができるようになされている。
【００１５】
そしてまた、この役物養生シート１は、図３（イ）に示すように、一方の側に備えられている群の各切込み４…を開くことにより、基礎型枠２のＴ字状部２ｂを適正にカバーすることも可能である。その場合に、もう一方の側の群の各切込み４…は、図３（ロ）に示すように、開かれることなくＴ字状部２ｂをカバーすることになるが、各切込み部分４…には、図１（ロ）に示すようなシート片５によるシートの重なり部分７が備えられているので、各切込み４…に隙間を生じず、外気が切込み部分４…を通じて内部に入り込むことはなく、更に、面ファスナー６，６によってしっかりと閉じられているので、外気の侵入をより一層確実に防ぐことができ、基礎型枠２内のコンクリートの養生を万全なかたちで行っていくことができる。
【００１６】
図４及び図５に示す第２実施形態の養生シート１は、基礎型枠２の直線部２ｄをカバーする直線部用のものであり、図４（イ）に示すように、シート１の端部に、基礎型枠２の非直線部をカバーするための切込み４…が形成されている。そして、各切込み部分４…には、第１実施形態の場合と同様に、図１（ロ）に示すようなシート片５によるシートの重なり部分７が形成され、重なり部分７において、重ね合わされる両面部に、切込み４を開き可能に閉じる、連結手段としての面ファスナー６，６が設けられている。
【００１７】
この養生シート１は、各切込み４…を開くことにより、図４（ロ）に示すような形態にすることができ、それにより、例えば、図５に示すように、基礎型枠２のＬ字状部２ｃの一部を適正にカバーすることができる。なお、Ｌ字状部２ｃの残り部分はもう一つの養生シート１を用いることでカバーされ、それにより、Ｌ字状部２ｃの全部がカバーされるようになされている。なお、養生シートを一つのシートでＬ字状部の全部をカバーしうるように構成してもよい。
【００１８】
図５に示すカバー状態において、同図（ロ）に示すように、基礎型枠２のＬ字状部２ｃの外周側では、養生シート１は、切込み４が開かれることなくＬ字状部２ｃをカバーすることになるが、この切込み部分４には、図１（ロ）に示すようなシート片５によるシートの重なり部分７が備えられ、しかも、この重なり部分７は面ファスナー６，６によってしっかりと閉じられているので、切込み４に隙間を生じず、外気がこれらの切込み部分４…を通じて内部に入り込むのを確実に防ぐことができて、基礎型枠２内のコンクリートの養生を万全なかたちで行っていくことができる。
【００１９】
なお、このＬ字状部２ｃは、その全部が二つの養生シートによってカバーされるが、その際、Ｌ字状部の外周側の立ち上がり部分において二つの養生シートが重なり合うことなく突き合わせ状態となるが、その部分は切込みによるものではないので、必要に応じて、テーピングなどで隙間が開かないようにしておくとよい。
【００２０】
また、第１、第２のいずれの本実施形態の養生シート１，１も、基礎型枠２の直線部をカバーするのに用いることも可能であり、その場合であっても、開かれない切込み４を通じた外気の侵入をシートの重なり部分７等で確実に防止することができる。
【００２１】
なお、以上に、本発明の実施形態を示したが、本発明はこれに限られるものではなく、発明思想を逸脱しない範囲で各種の変更が可能である。例えば、上記の実施形態では連結手段として面ファスナー６，６を用いた場合を示しているが、永久磁石やホックなど、解除可能に連結しうるものであればよい。また、シートの重なり部分の具体的形態に制限はなく、要は切込みの隙間を通じて外気が直接内部に入り込まないようにすることができるような形態の重なり部分であればよい。また、本発明の養生シートは、非発熱式の養生シートに適用することもできるし、ヒーター等の組み込まれた発熱式の養生シートに適用することもできる。
【００２２】
【発明の効果】
本発明は、以上のとおりのものであるから、切込みを開いて基礎型枠の非直線部を適正にカバーすることができ、しかも、基礎型枠をカバーする上で使用されない切込みを通じて外気が内部に入るのを防いでコンクリートの養生をより万全なかたちで行うことができる。
【図面の簡単な説明】
【図１】第１実施形態の養生シートを示すもので、図（イ）は平面形状を示す平面図、図（ロ）は切込み部分の拡大斜視図、図（ハ）は基礎型枠への取付け時の形態の一例を示す斜視図である。
【図２】基礎型枠の十字状部への取付け構造を示すもので、図（イ）は養生シートと十字状部とを分離状態にして示す斜視図、図（ロ）はシートによるカバー状態を示す斜視図である。
【図３】基礎型枠のＴ字状部への取付け構造を示すもので、図（イ）は養生シートとＴ字状部とを分離状態にして示す斜視図、図（ロ）はシートによるカバー状態を示す斜視図である。
【図４】第２実施形態の養生シートを示すもので、図（イ）は平面形状を示す平面図、図（ロ）は基礎型枠への取付け時の形態の一例を示す斜視図である。
【図５】基礎型枠のＬ字状部への取付け構造を示すもので、図（イ）は養生シートとＬ字状部とを分離状態にして示す斜視図、図（ロ）はシートによるカバー状態を示す斜視図である。
【符号の説明】
１…養生シート
２…基礎型枠
２ａ…十字状部（非直線部）
２ｂ…Ｔ字状部（非直線部）
２ｃ…Ｌ字状部（非直線部）
２ｄ…直線部
４…切込み
５…シート片
６…面ファスナー（連結手段）
７…重なり部分
【図１】
2004300850.tif 000003
【図２】
2004300850.tif 000004
【図３】
2004300850.tif 000005
【図４】
2004300850.tif 000006
【図５】
2004300850.tif 000007